(57)【要約】【課題】例えば私的利用と業務利用とで兼用して運用する場合に、記憶しておいたデータを利用する際の利便性が高い移動無線端末装置を提供する。【解決手段】制御部１８０は、記憶部１６０が記憶するアドレス帳データを用いて発信を行う場合に、予め設定されたテーマに対応付けられた電話番号を含むアドレス帳データを抽出してその名前を表示部１３０にリスト表示し、そして操作部１４０を通じてユーザより上記リストから発信先の指定を受け付け、この指定された名前に対応付けられた電話番号のうち、設定されたテーマに対応する電話番号を用いて発信を行うようにしたものであある。【選択図】      図１
2008010935.tif 000002
【特許請求の範囲】
【請求項１】
通信網に接続される基地局と無線通信する移動無線端末装置において、
ユーザからの要求を受け付ける入力手段と、
少なくとも文字情報を表示可能な表示手段と、
前記入力手段を通じた要求に応じて、第１の動作モードと第２の動作モードのうち、少なくとも一方を設定する設定手段と、
名称と、第１の識別情報と、第２の識別情報と、前記第１の識別情報に対応付けた動作モードと、前記第２の識別情報に対応付けた動作モードとを対応付けたデータセットを複数記憶する記憶手段と、
前記入力手段を通じて要求があった場合に、前記設定手段が設定した動作モードと同じ動作モードが対応付けられた識別情報を含むデータセットを、前記記憶手段から検出する検出手段と、
この検出手段が検出したデータセットに含まれる名称をリスト化して、前記表示手段に表示させる表示制御手段とを具備することを特徴とする移動無線端末装置。
【請求項２】
さらに、前記入力手段を通じて、前記表示制御手段がリスト化して表示させた名称を選択する要求があった場合に、選択された名称に対応するデータセットが含む識別情報のうち、前記設定手段が設定した動作モードと同じ動作モードが対応付けられた識別情報を用いて通信を行う通信手段を備えることを特徴とする請求項１に記載の移動無線端末装置。
【請求項３】
通信網に接続される基地局と無線通信する移動無線端末装置において、
ユーザからの要求を受け付ける入力手段と、
少なくとも文字情報を表示可能な表示手段と、
名称と、複数の識別情報とを対応付けたデータセットを複数記憶し、更に前記複数の識別情報のうちの少なくとも１つの識別情報に動作モードを対応付けて記憶する記憶手段と、
前記入力手段によって前記動作モードを指定され、その後に前記名称の一覧の表示指示を入力手段によって指定されると、前記指定された動作モードに対応付けられた識別情報と対応する名称を表示する表示制御手段と
を具備することを特徴とする移動無線端末装置。
【請求項４】
通信網に接続される基地局と無線通信する移動無線端末装置において、
ユーザからの要求を受け付ける入力手段と、
少なくとも文字情報を表示可能な表示手段と、
前記入力手段を通じた要求に応じて、第１の動作モードと第２の動作モードのうち、少なくとも一方を設定する設定手段と、
名称と、識別情報と、動作モードとを対応付けたデータセットを複数記憶する記憶手段と、
前記入力手段を通じて要求があった場合に、前記設定手段が設定した動作モードと同じ動作モードを含むデータセットを、前記記憶手段から検出する検出手段と、
この検出手段が検出したデータセットに含まれる名称をリスト化して、前記表示手段に表示させる表示制御手段とを具備することを特徴とする移動無線端末装置。
【請求項５】
通信網に接続される基地局と無線通信する移動無線端末装置において、
ユーザからの要求を受け付ける入力手段と、
少なくとも文字情報を表示可能な表示手段と、
前記入力手段を通じた要求に応じて、第１の動作モードと第２の動作モードのうち、少なくとも一方を設定する設定手段と、
名称と、識別情報と、動作モードとを対応付けたデータセットを複数記憶する記憶手段と、
前記入力手段を通じて要求があった場合に、前記設定手段が設定した動作モードと同じ動作モードを含むデータセットを、前記記憶手段から検出する検出手段と、
前記記憶手段が記憶するデータセットに含まれる名称をリスト化して前記表示手段に表示させるものであって、前記記憶手段が記憶するデータセットに含まれる名称のうち、前記検出手段が検出したデータセットに含まれる名称を優先的に表示させる表示制御手段とを具備することを特徴とする移動無線端末装置。
【請求項６】
通信網に接続される基地局と無線通信する移動無線端末装置において、
ユーザからの要求を受け付ける入力手段と、
少なくとも文字情報を表示可能な表示手段と、
前記入力手段を通じた要求に応じて、第１の動作モードと第２の動作モードのうち、少なくとも一方を設定する設定手段と、
データファイルと、このデータファイルの名称と、動作モードとを対応付けたデータセットを複数記憶する記憶手段と、
前記入力手段を通じて要求があった場合に、前記設定手段が設定した動作モードと同じ動作モードを含むデータセットを、前記記憶手段から検出する検出手段と、
この検出手段が検出したデータセットに含まれる名称をリスト化して、前記表示手段に表示させる表示制御手段とを具備することを特徴とする移動無線端末装置。
【請求項７】
通信網に接続される基地局と無線通信する移動無線端末装置において、
ユーザからの要求を受け付ける入力手段と、
少なくとも文字情報を表示可能な表示手段と、
前記入力手段を通じた要求に応じて、第１の動作モードと第２の動作モードのうち、少なくとも一方を設定する設定手段と、
データファイルと、このデータファイルの名称と、動作モードとを対応付けたデータセットを複数記憶する記憶手段と、
前記入力手段を通じて要求があった場合に、前記設定手段が設定した動作モードと同じ動作モードを含むデータセットを、前記記憶手段から検出する検出手段と、
前記記憶手段が記憶するデータセットに含まれる名称をリスト化して前記表示手段に表示させるものであって、前記記憶手段が記憶するデータセットに含まれる名称のうち、前記検出手段が検出したデータセットに含まれる名称を優先的に表示させる表示制御手段とを具備することを特徴とする移動無線端末装置。
【発明の詳細な説明】
【技術分野】
【０００１】
この発明は、例えば携帯電話機やＰＨＳ端末などの無線通信機能を備えた移動無線端末装置に関する。
【背景技術】
【０００２】
周知のように、従来の携帯電話機などの移動無線端末装置は、老若男女を問わず広く普及している。ビジネスパーソンにあっては、その利便性から私的利用と業務利用を兼用することも少なくない。このように、装置を兼用して運用する場合、登録される例えばアドレスデータなども、私的利用のためのものと、業務利用のためのものとが混在することになるため、データを利用する際の利便性が低いという問題があった。
【０００３】
これに対して従来は、データ毎に表示属性を付加させておき、データ検索時に色分け表示するようにしている（例えば、特許文献１参照）。しかしながら、従来の手法では、データの利用時に、その都度、属性を指定する必要があり、利便性が十分に高くはなく、問題は解決されていなかった。
【特許文献１】特開２００１−３１３７１１公報。
【発明の開示】
【発明が解決しようとする課題】
【０００４】
従来の移動無線端末装置では、例えば私的利用と業務利用とで兼用して運用する場合、記憶しておいたデータを利用する際の利便性が低いという問題があった。  
この発明は上記の問題を解決すべくなされたもので、例えば私的利用と業務利用とで兼用して運用する場合に、記憶しておいたデータを利用する際の利便性が高い移動無線端末装置を提供することを目的とする。
【課題を解決するための手段】
【０００５】
上記の目的を達成するために、この発明は、通信網に接続される基地局と無線通信する移動無線端末装置において、ユーザからの要求を受け付ける入力手段と、少なくとも文字情報を表示可能な表示手段と、入力手段を通じた要求に応じて、第１の動作モードと第２の動作モードのうち、少なくとも一方を設定する設定手段と、名称と、第１の識別情報と、第２の識別情報と、第１の識別情報に対応付けた動作モードと、第２の識別情報に対応付けた動作モードとを対応付けたデータセットを複数記憶する記憶手段と、入力手段を通じて要求があった場合に、設定手段が設定した動作モードと同じ動作モードが対応付けられた識別情報を含むデータセットを、記憶手段から検出する検出手段と、この検出手段が検出したデータセットに含まれる名称をリスト化して、表示手段に表示させる表示制御手段とを具備して構成するようにした。
【発明の効果】
【０００６】
以上述べたように、この発明では、名称と、第１の識別情報と、第２の識別情報と、第１、第２の識別情報にそれぞれ対応付けた動作モードとを対応付けたデータセットを複数記憶しておき、入力手段を通じて要求があった場合に、設定手段が設定した動作モードと同じ動作モードが対応付けられた識別情報を含むデータセットの名称をリスト化して、表示手段に表示させるようにしている。
【０００７】
したがって、この発明によれば、動作モードに対応するデータセットの名称を表示できるので、例えば私的利用と業務利用とで兼用して運用する場合に、記憶しておいたデータを利用する際の利便性が高い移動無線端末装置を提供できる。
【発明を実施するための最良の形態】
【０００８】
以下、図面を参照して、この発明の一実施形態について説明する。図１は、この発明の一実施形態に係わる移動無線端末装置の構成を示すものである。以下の説明では、移動無線端末装置の一例として、携帯電話機１００を例に挙げて説明する。この携帯電話機１００は、移動通信網に収容される公衆基地局ＢＳと無線接続して通信するものである。
【０００９】
この携帯電話機１００は、アンテナ１０１と、通信部１１０と、音声処理部１２０と、表示部１３０と、操作部１４０と、報知部１５０と、記憶部１６０と、カメラ部１７０と、制御部１８０とを備える。  
アンテナ１０１は、公衆基地局ＢＳから送信される無線信号の受信や、当該携帯電話機１００から公衆基地局ＢＳに宛てた無線信号の送信を行うものである。
【００１０】
通信部１１０は、アンテナ１０１を通じて公衆基地局ＢＳと無線通信するものである。具体的には、通信部１１０は、アンテナ１０１が受信した無線信号をダウンコンバートして復調し、通信相手局から送信された符号化音声データや、電子メールデータを得る。また通信部１１０は、制御部１８０を通じて音声処理部１２０から与えられる符号化音声データや電子メールデータを用いてベースバンド信号を変調し、これをアップコンバートして無線信号を生成し、アンテナ１０１を通じて公衆基地局ＢＳに送信する。
【００１１】
音声処理部１２０は、通信部１１０にて復調された符号化音声データを復号して音声信号を再生し、内蔵するスピーカ１２１から拡声出力する。これにより、通話相手局からの送話音声がユーザに伝達される。また音声処理部１２０は、内蔵するマイクロホン１２２から入力された音声信号を符号化して符号化音声データを生成し、これを制御部１８０を通じて通信部１１０に与える。
【００１２】
表示部１３０は、ＬＣＤ（Liquid Crystal Display）などを用いた表示装置であって、制御部１８０の制御により、テキストや画像など種々の視覚的な情報をユーザに映像表示するものである。
【００１３】
操作部１４０は、複数のキースイッチなどを備え、ユーザの要求を受け付けるものである。報知部１５０は、着信の発生を音と振動によりユーザに報知するものであって、制御部１８０の制御により、音と振動による報知、音のみによる報知、振動のみによる報知のいずれかを選択的に行うことができる。
【００１４】
記憶部１６０は、制御部１８０の制御プログラムや制御データ、電話番号、名称および顔写真などの画像データを対応づけたアドレス帳データを記憶するとともに、静止画像や動画像などの画像データ、送受信した電子メールデータや、メール表示機能に関わるパラメータなどが記憶される。
【００１５】
また記憶部１６０は、テーマ（動作モード）の設定を示すテーマ設定情報を記憶する。なお、以下の説明では、テーマの一例として、「プライベート」と「ビジネス」を例に挙げることにする。そしてまた記憶部１６０は、テーマが「プライベート」に設定される場合に用いられる壁紙画像やメニュー表示の画像と、テーマが「ビジネス」に設定される場合に用いられる壁紙画像やメニュー表示の画像をそれぞれ記憶する。なお、壁紙画像とは、着信待ち受け時に表示部１３０に表示する画像である。またメニュー表示とは、ユーザに選択肢などを提示したり、あるいは、ユーザから要求を受け付けるためのメニューを示す表示である。
【００１６】
カメラ部１７０は、ＣＣＤ（Charge-Coupled Device）やＣＭＯＳ（Complementary Metal Oxide Semiconductor）などの撮像素子を用いたディジタルカメラであって、制御部１８０の指示にしたがって、静止画像や動画像を撮影し、この撮影によって得た画像データを制御部１８０に出力する。
【００１７】
制御部１８０は、当該携帯電話機１００の各部を統括して制御するものである。例えば、制御部１８０は、音声通信を行うための制御機能として、着信信号を受信するための着信制御機能、ユーザから発信要求が受け付けた場合に発信を行うための発信制御機能、そしてこれら発着信制御時に通話相手と通信リンクを確立して音声データの送受信および音声の入出力を行う通話制御機能を備える。
【００１８】
また制御部１８０は、設定されたテーマ（動作モード）に応じて、当該移動無線端末装置を制御する。すなわち、制御部１８０は、操作部１４０を通じてユーザからテーマを設定する入力が行われると、入力されたテーマ（例えば、「プライベート」や「ビジネス」）の識別情報を、テーマ設定情報として記憶部１６０に記録する。そして、制御部１８０は、設定されたテーマに応じた壁紙画像データを記憶部１６０から読み出して着信待ち受け画像として表示部１３０に表示するとともに、上記設定に応じたデザインの画像データを記憶部１６０から読み込んでメニュー表示を行う。
【００１９】
そして制御部１８０は、ユーザからの操作部１４０を通じた要求に応じてアドレス帳データや種々のデータをリスト化して表示する場合に、設定されたテーマに応じたデータのみをリスト化して表示したり、あるいは、設定されたテーマに対応するデータを優先的にリストの上位に表示する制御機能を備える。
【００２０】
次に、上記構成の移動無線端末装置の動作について説明する。  
まず第１の実施形態に関わる移動無線端末装置の動作について説明する。図２に、アドレス帳データを登録する処理を示し、図３には、アドレス帳データを用いて発信を行う処理を示す。これらの図に示すフローチャートは、記憶部１６０に記憶される制御プログラムに基づくものであり、制御部１８０によって実行される。
【００２１】
図２を参照して、アドレス帳データを登録する処理について説明する。ユーザが操作部１４０に対して、アドレス帳データの登録を求める所定の操作を施したことを、制御部１８０が検出すると、制御部１８０は、当該処理を開始する。
【００２２】
まずステップ２ａにおいて制御部１８０は、ユーザによる操作部１４０への操作に基づいて、名前の入力が行われるか否かを判定する。ここで、名前の入力が行われると判定した場合には、ステップ２ｂに移行する。一方、名前の入力が行われないと判定した場合には、ステップ２ｃに移行する。
【００２３】
ステップ２ｂにおいて制御部１８０は、操作部１４０を通じて、アドレス帳に登録する名前、それが属するグループ、フリガナ等の情報の入力を受け付け、ステップ２ｌに移行する。すなわち、例えば、名前として「山田太郎」のテキストデータ、グループとして「友人」を示す識別情報、フリガナとして「ヤマダタロウ」のテキストデータの入力を受け付ける。
【００２４】
ステップ２ｃにおいて制御部１８０は、ユーザによる操作部１４０への操作に基づいて、「電話番号１」の入力が行われるか否かを判定する。ここで、「電話番号１」の入力が行われると判定した場合には、ステップ２ｄに移行する。一方、「電話番号１」の入力が行われないと判定した場合には、ステップ２ｅに移行する。
【００２５】
ステップ２ｄにおいて制御部１８０は、「電話番号１」の入力を受け付け、ステップ２ｋに移行する。すなわち、「電話番号１」として、「山田太郎」の例えばプライベート用の電話番号「０３××××××××」の入力を受け付ける。
【００２６】
ステップ２ｅにおいて制御部１８０は、ユーザによる操作部１４０への操作に基づいて、「電話番号２」の入力が行われるか否かを判定する。ここで、「電話番号２」の入力が行われると判定した場合には、ステップ２ｆに移行する。一方、「電話番号２」の入力が行われないと判定した場合には、ステップ２ｇに移行する。
【００２７】
ステップ２ｆにおいて制御部１８０は、「電話番号２」の入力を受け付け、ステップ２ｋに移行する。すなわち、「電話番号２」として、「山田太郎」の例えばビジネス用の電話番号「０９０××××××××」の入力を受け付ける。
【００２８】
ステップ２ｇにおいて制御部１８０は、ユーザによる操作部１４０への操作に基づいて、「メールアドレス１」の入力が行われるか否かを判定する。ここで、「メールアドレス１」の入力が行われると判定した場合には、ステップ２ｈに移行する。一方、「メールアドレス１」の入力が行われないと判定した場合には、ステップ２ｉに移行する。
【００２９】
ステップ２ｈにおいて制御部１８０は、「メールアドレス１」の入力を受け付け、ステップ２ｋに移行する。すなわち、「メールアドレス１」として、「山田太郎」の例えばプライベート用の「yamada@xxx.yy.jp」の入力を受け付ける。
【００３０】
ステップ２ｉにおいて制御部１８０は、ユーザによる操作部１４０への操作に基づいて、「メールアドレス２」の入力が行われるか否かを判定する。ここで、「メールアドレス２」の入力が行われると判定した場合には、ステップ２ｊに移行する。一方、「メールアドレス２」の入力が行われないと判定した場合には、ステップ２ａに移行し、データ入力の受付を継続する。
【００３１】
ステップ２ｊにおいて制御部１８０は、「メールアドレス２」の入力を受け付け、ステップ２ｋに移行する。すなわち、「メールアドレス２」として、「山田太郎」の例えばビジネス用の「yamada@zzz.co.jp」の入力を受け付ける。
【００３２】
ステップ２ｋにおいて制御部１８０は、ステップ２ｄ、２ｆ、２ｈ、２ｊでそれぞれ入力された情報に対応付けるテーマの指定を受け付け、受け付けたテーマの識別情報をステップ２ｄ、２ｆ、２ｈ、２ｊで入力された情報に対応付け、ステップ２ｋに移行する。
【００３３】
例えば、ステップ２ｄや２ｈで、「プライベート」のデータを受け付けたとすると、これらのデータに対しては、ユーザからテーマとして「プライベート」の指定を受け付ける。これにより制御部１８０は、上記データに、テーマとして「プライベート」を示す識別情報を対応付ける。
【００３４】
同様にして、例えば、ステップ２ｆや２ｊで、「ビジネス」のデータを受け付けたとすると、これらのデータに対しては、ユーザからテーマとして「ビジネス」の指定を受け付ける。これにより制御部１８０は、上記データに、テーマとして「ビジネス」を示す識別情報を対応付ける。
【００３５】
ステップ２ｌにおいて制御部１８０は、操作部１４０を通じて、ユーザから入力を終了する指示を受け付けたか否かを判定する。ここで、入力を終了する指示を受け付けたと判定した場合には、ステップ２ｍに移行し、一方、入力を終了する指示を受け付けていないと判定した場合には、ステップ２ａに移行して、データ入力の受付を継続する。
【００３６】
ステップ２ｍにおいて制御部１８０は、ステップ２ｂ、２ｄ、２ｆ、２ｈおよび２ｊで入力されたデータ、およびこれらに対応付けるためにステップ２ｋで入力されたテーマの識別データを、１つのアドレス帳データ（１つのデータセット）として、記憶部１６０に記録し、当該処理を終了する。以上により、１つのアドレス帳データが記憶部１６０に登録されることになる。
【００３７】
次に、図３を参照して、アドレス帳データを用いて発信を行う処理について説明する。ユーザが操作部１４０に対して、アドレス帳データを用いた発信を求める所定の操作を施したことを、制御部１８０が検出すると、制御部１８０は、当該処理を開始する。
【００３８】
まずステップ３ａにおいて制御部１８０は、記憶部１６０が記憶するテーマ設定情報を参照し、設定されているテーマが何であるかを判定し、ステップ３ｂに移行する。すなわち、設定されているテーマが「プライベート」であるか、あるいは「ビジネス」であるかを判定する。
【００３９】
ステップ３ｂにおいて制御部１８０は、ステップ３ａの判定結果に基づいて、記憶部１６０が記憶するアドレス帳データのうち、設定されているテーマに対応する電話番号のデータを含むアドレス帳データを抽出し、それに含まれる名前をリスト化して表示部１３０に表示し、ステップ３ｃに移行する。この様子の一例を図４に示す。表示４００は、このときの表示部１３０の表示例を示すものである。
【００４０】
ステップ３ｃにおいて制御部１８０は、操作部１４０を通じて、ユーザから名前の選択を受け付け、ステップ３ｄに移行する。選択操作の具体例としては、図４の表示４００に示すように、ユーザによる操作部１４０への操作に応じて、フォーカスＦを移動させ、その後、発信Ｓに対応するキーをユーザが押下すると、その時点でフォーカスＦが当たっている名前「荒川」を選択したものと判定し、「荒川」を受け付ける。
【００４１】
ステップ３ｄにおいて制御部１８０は、ステップ３ｃで受け付けた名前のアドレス帳データを参照し、設定されているテーマに対応する電話番号を抽出し、ステップ３ｅに移行する。ここで例えば、名前「荒川」のアドレス帳データに、テーマ「プライベート」に対応する電話番号１と、テーマ「ビジネス」に対応する電話番号２とが含まれている状態で、テーマとして「ビジネス」が設定される場合には、上記電話番号２が抽出されることになる。
【００４２】
ステップ３ｅにおいて制御部１８０は、通信部１１０を制御して、ステップ３ｄで抽出した電話番号宛ての発信を行い、当該処理を終了する。すなわち、テーマとして「ビジネス」が設定される場合には、名前「荒川」のアドレス帳データのうち、テーマ「ビジネス」に対応する電話番号２を用いた発信を行い、図４の表示４０１に示すような表示を表示部１３０に行う。一方、テーマとして「プライベート」が設定される場合には、名前「荒川」のアドレス帳データのうち、テーマ「プライベート」に対応する電話番号１を用いた発信を行い、図４の表示４０２に示すような表示を表示部１３０に行う。
【００４３】
以上のように、上記構成の移動無線端末装置では、アドレス帳データを用いて発信を行う場合に、予め設定されたテーマに対応付けられた電話番号を含むアドレス帳データを抽出してその名前をリスト表示し、そしてそのリストから発信先の指定を受け付け、この指定された名前に対応付けられた電話番号のうち、設定されたテーマに対応する電話番号を用いて発信を行うようにしている。
【００４４】
したがって、上記構成の移動無線端末装置によれば、例えば私的利用と業務利用とで兼用して運用する場合に、設定したテーマに応じた電話番号が容易に指定して発信できるので、利便性が高い。
【００４５】
次に、第２の実施形態に関わる移動無線端末装置の動作について説明する。図５に、アドレス帳データを登録する処理を示し、図６には、アドレス帳データの表示処理を示す。これらの図に示すフローチャートは、記憶部１６０に記憶される制御プログラムに基づくものであり、制御部１８０によって実行される。
【００４６】
図５を参照して、アドレス帳データを登録する処理について説明する。ユーザが操作部１４０に対して、アドレス帳データの登録を求める所定の操作を施したことを、制御部１８０が検出すると、制御部１８０は、当該処理を開始する。
【００４７】
まずステップ５ａにおいて制御部１８０は、ユーザによる操作部１４０への操作に基づいて、名前、フリガナ、電話番号、メールアドレス、グループなどの入力を受け付け、ステップ５ｂに移行する。
【００４８】
ステップ５ｂにおいて制御部１８０は、ステップ５ａで入力された名前に対応付けるテーマの指定を受け付け、受け付けたテーマの識別情報をステップ５ａで入力された名前に対応付け、ステップ５ｃに移行する。例えば、ステップ５ａで、「プライベート」の名前を受け付けたとすると、ステップ５ｂでユーザはテーマとして「プライベート」の指定を行う。これにより制御部１８０は、上記名前に、テーマとして「プライベート」を示す識別情報を対応付ける。
【００４９】
ステップ５ｃにおいて制御部１８０は、ステップ５ａで入力されたデータ、およびこれらに対応付けるためにステップ５ｂで入力されたテーマの識別データを、１つのアドレス帳データとして、記憶部１６０に記録し、当該処理を終了する。以上により、１つのアドレス帳データが記憶部１６０に登録されることになる。
【００５０】
なお、図６のフローチャートでは、電話番号やメールアドレスをそれぞれ１つずつ入力するものとして説明したが、図２のフローチャートのように、複数の電話番号やメールアドレスを入力するようにしてもよい。しかし、複数の電話番号やメールアドレスを入力する場合であっても、テーマは名前に対応付けるため、１つのアドレス帳データには、テーマが１つだけ設定される。
【００５１】
次に、図６を参照して、アドレス帳データを表示する処理について説明する。ユーザが操作部１４０に対して、アドレス帳データの表示を求める所定の操作を施したことを、制御部１８０が検出すると、制御部１８０は、当該処理を開始する。
【００５２】
まずステップ６ａにおいて制御部１８０は、記憶部１６０が記憶するテーマ設定情報を参照し、テーマが設定されているか否かを判定する。ここで、何らかのテーマが設定されている場合には、ステップ６ｃに移行し、一方、テーマが設定されていない場合には、ステップ６ｂに移行する。
【００５３】
ステップ６ｂにおいて制御部１８０は、記憶部１６０からアドレス帳データを読み出し、このアドレス帳データをフリガナの順序（例えばアイウエオ順）にしたがったリストを作成して、これを表示部１３０に表示する。図７Ａに、ステップ６ｂにおける表示部１３０の表示例を示す。ここではテーマ設定が為されていないため、「あ行」のアドレス帳データがフリガナの順序に従って表示される。
【００５４】
そして操作部１４０を通じたユーザから指示を受け付けると、これにしたがって、アドレス帳データの詳細（電話番号やグループなど）を表示したり、他のカテゴリのアドレス帳データを同様にリスト化して表示する。また、このようにアドレス帳データがリスト表示された状態で、ユーザが操作部１４０を通じていずれかのアドレス帳データを選択する指示を行うと、この指示を制御部１８０が受け付けて、この指示にしたがって、選択されたアドレス帳データの電話番号を用いた発信を行う。
【００５５】
一方、ステップ６ｃにおいて制御部１８０は、記憶部１６０が記憶するテーマ設定情報を参照し、設定されているテーマが何であるかを判定し、ステップ６ｄに移行する。すなわち、設定されているテーマが「プライベート」であるか、あるいは「ビジネス」であるかを判定する。
【００５６】
ステップ６ｄにおいて制御部１８０は、記憶部１６０からアドレス帳データを読み出し、この読み出したアドレス帳データに基づいて、ステップ６ｃで判定したテーマに対応するアドレス帳データを優先的に表示するように仕分け（ソート）したリストを作成し、ステップ６ｅに移行する。なお、ここでいう「優先的」とは、リストの上位に設定することを意味する。
【００５７】
ステップ６ｅにおいて制御部１８０は、ステップ６ｄで作成したリストを表示部１３０に表示する。この様子の一例を図７Ｂ、図７Ｃに示す。図７Ｂは、テーマとして「ビジネス」が設定されている場合の例であって、「ビジネス」が対応付けられたアドレス帳データが上位に表示される。同様に、図７Ｃは、テーマとして「プライベート」が設定されている場合の例であって、「プライベート」が対応付けられたアドレス帳データが上位に表示される。同じテーマのアドレス帳データについては、フリガナの順で優先順位が決定される。
【００５８】
そして操作部１４０を通じてユーザから指示を受け付けると、これにしたがって、アドレス帳データの詳細（電話番号やグループなど）を表示したり、他のカテゴリのアドレス帳データを同様にリスト化して表示する。また、このようにアドレス帳データがリスト表示された状態で、ユーザが操作部１４０を通じていずれかのアドレス帳データを選択する指示を行うと、この指示を制御部１８０が受け付けて、この指示にしたがって、選択されたアドレス帳データの電話番号を用いた発信を行う。
【００５９】
以上のように、上記構成の移動無線端末装置では、アドレス帳データをリスト化して表示する場合に、予め設定されたテーマに対応付けられた名前のアドレス帳データを優先的に表示し、ユーザからの要求に応じて発信を行うようにしている。
【００６０】
したがって、上記構成の移動無線端末装置によれば、例えば私的利用と業務利用とで兼用して運用する場合に、設定したテーマに応じた電話番号が優先的に表示されるため、利便性が高い。
【００６１】
なお、図６に示したフローチャートでは、図７Ｂや図７Ｃに示したように、設定されたテーマに対応するアドレス帳データを優先的に表示するようにしたが、図７Ｄや図７Ｅに示したように、設定されたテーマに対応するアドレス帳データのみを表示するようにしてもよい。なお、図７Ｄは、テーマとして「ビジネス」が設定されている場合の例であって、図７Ｅは、テーマとして「プライベート」が設定されている場合の例である。
【００６２】
また図５に示したフローチャートでは、名前にテーマを設定するものとして説明したが、グループにテーマを設定するようにしてもよい。すなわち、「家族」、「親戚」、「友人」などのグループをテーマ「プライベート」として設定し、「会社」、「取引先」などをテーマ「ビジネス」として設定する。
【００６３】
図８は、グループにテーマを対応付ける処理を説明するためのフローチャートである。ステップ８ａにおいて制御部１８０は、テーマとグループを対応付けし、ステップ８ｂに移行する。ステップ８ｂにおいて制御部１８０は、ステップ８ａで行った対応付けを示すテーマ−グループ対応情報を記憶部１６０に記録する。
【００６４】
このようにしてテーマ−グループ対応情報が作成された後、アドレス帳データを表示する要求が操作部１４０を通じて為されると、制御部１８０は、上記テーマ−グループ対応情報に基づいて、設定されたテーマに対応するグループに属するアドレス帳データを優先的に表示したり、あるいは設定されたテーマに対応するグループに属するアドレス帳データのみを表示する。このように、グループに応じた処理を行うようにしても、設定したテーマに応じた電話番号が優先的に表示されるため、利便性が高い。
【００６５】
また上記実施の形態では、テーマを対応付けるデータとして、アドレス帳データを例に挙げて説明したが、画像データや音楽データなどの他の形式のデータであってもよい。以下、第３の実施形態として、アドレス帳データ以外のデータにテーマを対応付ける場合について説明する。
【００６６】
図９に、カメラ部１７０にて撮像した画像データを保存する処理を示し、図１０には、保存してある画像データにテーマを対応付ける処理を示す。これらの図に示すフローチャートは、記憶部１６０に記憶される制御プログラムに基づくものであり、制御部１８０によって実行される。
【００６７】
図９を参照して、カメラ部１７０にて撮像した画像データを保存する処理について説明する。カメラ部１７０による撮像がなされると、制御部１８０は撮像によって得た画像データが保存するために、当該処理を開始する。
【００６８】
まずステップ９ａにおいて制御部１８０は、ユーザから操作部１４０を通じて、撮像によって得た画像データに対応付けるテーマの指定を受け付け、受け付けたテーマの識別情報を上記画像データに対応付け、ステップ９ｂに移行する。例えば、プライベートの撮影の場合には、ステップ９ａでユーザはテーマとして「プライベート」の指定を行う。これにより制御部１８０は、上記画像データに、テーマとして「プライベート」を示す識別情報を対応付ける。
【００６９】
ステップ９ｂにおいて制御部１８０は、上記画像データに、ステップ９ａで入力されたテーマの識別データを対応付けて、記憶部１６０に記録し、当該処理を終了する。以上により、カメラ部１７０によって撮像された画像データにテーマの識別データが付与され、１つのデータセットとして、記憶部１６０に保存されることになる。
【００７０】
次に、図１０を参照して、保存してある画像データにテーマを対応付ける処理について説明する。ユーザが操作部１４０を通じて、画像データにテーマを設定する要求を行うと、制御部１８０は、当該処理を開始する。
【００７１】
まずステップ１０ａにおいて制御部１８０は、記憶部１６０が記憶している画像データのファイル名をリスト化して表示部１３０に表示し、ステップ１０ｂに移行する。  
ステップ１０ｂにおいて制御部１８０は、操作部１４０を通じてユーザの指示により、表示部１３０にリスト化して表示したファイル名のうちいずれか１つを選択し、ステップ１０ｃに移行する。
【００７２】
ステップ１０ｃにおいて制御部１８０は、ユーザから操作部１４０を通じて、ステップ１０ｂで選択された画像データに対応付けるテーマの指定を受け付け、受け付けたテーマの識別情報を、ステップ１０ｂで選択されたファイル名の画像データに対応付け、ステップ１０ｄに移行する。例えば、プライベートの画像データとして設定したい場合には、ステップ１０ｃでユーザはテーマとして「プライベート」の指定を行う。これにより制御部１８０は、上記画像データに、テーマとして「プライベート」を示す識別情報を対応付ける。
【００７３】
ステップ１０ｄにおいて制御部１８０は、上記画像データに、ステップ１０ｃで入力されたテーマの識別データを対応付けて、１つのデータセットとして、記憶部１６０に記録し、当該処理を終了する。以上により、記憶部１６０に保存してある画像データにテーマの識別データが付与され、記憶部１６０に保存されることになる。
【００７４】
次に、図１１を参照して、記憶部１６０に保存してある音楽データをリスト表示する処理について説明する。なお、ここではリスト表示する例として音楽データを例に挙げるが、前述した画像データであってもよい。また音楽データをリスト表示する例として、着信音を設定する場合を例に挙げる。また音楽データには、図９や図１０で示した処理と同様の処理により、予めテーマを識別する識別情報が付与されているものとする。ユーザが操作部１４０に対して、着信音の設定を求める所定の操作を施したことを、制御部１８０が検出すると、制御部１８０は、当該処理を開始する。
【００７５】
まずステップ１１ａにおいて制御部１８０は、記憶部１６０が記憶するテーマ設定情報を参照し、テーマが設定されているか否かを判定する。ここで、何らかのテーマが設定されている場合には、ステップ１１ｃに移行し、一方、テーマが設定されていない場合には、ステップ１１ｂに移行する。
【００７６】
ステップ１１ｂにおいて制御部１８０は、記憶部１６０から音楽データのファイル名を読み出し、これらのファイル名をアルファベット順やアイウエオ順にしたがったリストを作成して、これを表示部１３０に表示する。図１２Ａに、ステップ１１ｂにおける表示部１３０の表示例を示す。ここではテーマ設定が為されていないため、ファイル名の順序に従って表示される。
【００７７】
そして、操作部１４０を通じたユーザの指示にしたがって、各音楽データの詳細を表示したり、試聴するために音楽データに基づいて音楽を再生する。また、操作部１４０を通じたユーザの指示によりファイル名が選択されると、制御部１８０は、そのファイル名の音楽データを着信音として用いるように設定し、当該処理を終了する。
【００７８】
一方、ステップ１１ｃにおいて制御部１８０は、記憶部１６０が記憶するテーマ設定情報を参照し、設定されているテーマが何であるかを判定し、ステップ１１ｄに移行する。すなわち、設定されているテーマが「プライベート」であるか、あるいは「ビジネス」であるかを判定する。
【００７９】
ステップ１１ｄにおいて制御部１８０は、記憶部１６０からアドレス帳データを読み出し、この読み出したアドレス帳データに基づいて、ステップ１１ｃで判定したテーマに対応する音楽データを優先的に表示するように仕分け（ソート）したリストを作成し、ステップ１１ｅに移行する。なお、ここでいう「優先的」とは、リストの上位に設定することを意味する。
【００８０】
ステップ１１ｅにおいて制御部１８０は、ステップ１１ｄで作成したリストを表示部１３０に表示する。この様子の一例を図１２Ｂ、図１２Ｃに示す。図１２Ｂは、テーマとして「ビジネス」が設定されている場合の例であって、「ビジネス」が対応付けられた音楽データが上位に表示される。同様に、図１２Ｃは、テーマとして「プライベート」が設定されている場合の例であって、「プライベート」が対応付けられた音楽データが上位に表示される。同じテーマの音楽データについては、ファイル名の順で優先順位が決定される。
【００８１】
そして、操作部１４０を通じたユーザの指示にしたがって、音楽データの詳細を表示したり、試聴するために音楽データに基づいて音楽を再生する。また、操作部１４０を通じたユーザの指示によりファイル名が選択されると、制御部１８０は、そのファイル名の音楽データを着信音として用いるように設定し、当該処理を終了する。
【００８２】
以上のように、上記構成の移動無線端末装置では、アドレス帳データ以外の画像データや音楽データをリスト化して表示する場合に、予め設定されたテーマに対応付けられたデータを優先的に表示するようにしている。
【００８３】
したがって、上記構成の移動無線端末装置によれば、例えば私的利用と業務利用とで兼用して運用する場合に、設定したテーマに応じたデータが優先的に表示されるため、利便性が高い。
【００８４】
なお、図１１や図１２Ｂ、図１２Ｃを用いた説明では、設定したテーマに応じたデータを優先的に表示する場合について説明したが、これに代わって例えば、設定したテーマに対応するデータのみを表示するようにしてもよい。この場合、図１１に示したフローチャートの処理に代わって、図１３に示すフローチャートの処理を実施する。
【００８５】
まず、ステップ１３ａにおいて制御部１８０は、記憶部１６０が記憶するテーマ設定情報を参照し、テーマが設定されているか否かを判定する。ここで、何らかのテーマが設定されている場合には、ステップ１３ｃに移行し、一方、テーマが設定されていない場合には、ステップ１３ｂに移行する。
【００８６】
ステップ１３ｂにおいて制御部１８０は、記憶部１６０から音楽データのファイル名を読み出し、これらのファイル名をアルファベット順やアイウエオ順にしたがったリストを作成して、これを表示部１３０に表示する。図１２Ａに、ステップ１３ｂにおける表示部１３０の表示例を示す。ここではテーマ設定が為されていないため、ファイル名の順序に従って表示される。
【００８７】
そして、操作部１４０を通じたユーザの指示にしたがって、各音楽データの詳細を表示したり、試聴するために音楽データに基づいて音楽を再生する。また、操作部１４０を通じたユーザの指示によりファイル名が選択されると、制御部１８０は、そのファイル名の音楽データを着信音として用いるように設定し、当該処理を終了する。
【００８８】
一方、ステップ１３ｃにおいて制御部１８０は、記憶部１６０が記憶するテーマ設定情報を参照し、設定されているテーマが何であるかを判定し、ステップ１３ｄに移行する。すなわち、設定されているテーマが「プライベート」であるか、あるいは「ビジネス」であるかを判定する。
【００８９】
ステップ１３ｄにおいて制御部１８０は、記憶部１６０からアドレス帳データを読み出し、この読み出したアドレス帳データに基づいて、ステップ１３ｃで判定したテーマに対応する音楽データのみを表示するように仕分けしたリストを作成し、ステップ１３ｅに移行する。
【００９０】
ステップ１３ｅにおいて制御部１８０は、ステップ１３ｄで作成したリストを表示部１３０に表示する。この様子の一例を図１４Ａ、図１４Ｂに示す。図１４Ａは、テーマとして「ビジネス」が設定されている場合の例であって、「ビジネス」が対応付けられた音楽データのみが表示される。同様に、図１４Ｂは、テーマとして「プライベート」が設定されている場合の例であって、「プライベート」が対応付けられた音楽データのみが表示される。同じテーマの音楽データについては、ファイル名の順で優先順位が決定される。
【００９１】
そして、操作部１４０を通じたユーザの指示にしたがって、音楽データの詳細を表示したり、試聴するために音楽データに基づいて音楽を再生する。また、操作部１４０を通じたユーザの指示によりファイル名が選択されると、制御部１８０は、そのファイル名の音楽データを着信音として用いるように設定し、当該処理を終了する。
【００９２】
以上のような処理によれば、アドレス帳データ以外の画像データや音楽データをリスト化して表示する場合に、予め設定されたテーマに対応付けられたデータのみが表示するされる。このため、例えば私的利用と業務利用とで兼用して運用する場合に、設定したテーマに応じたデータのみが表示されるため、利便性が高い。なお、第３の実施形態では、アドレス帳データ以外の場合として説明したが、アドレス帳データに適用することが可能であることはいうまでもない。
【００９３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００９４】
その一例として例えば、上記実施の形態では、アドレス帳データについては、電話番号を例に挙げて説明したが、メールアドレスについても同様の効果が得られる。電話番号の場合には、上述したように、選択した電話番号への発信を行うが、メールアドレスの場合には、選択したメールアドレスを宛先とする電子メールの作成や、作成した電子メールの送信を行うようにする。  
その他、この発明の要旨を逸脱しない範囲で種々の変形を施しても同様に実施可能であることはいうまでもない。
【図面の簡単な説明】
【００９５】
【図１】この発明に係わる移動無線端末装置の一実施形態の構成を示す回路ブロック図。
【図２】図１に示した移動無線端末装置の第１の実施形態に係わる動作を説明するためのフローチャート。
【図３】図１に示した移動無線端末装置の第１の実施形態に係わる動作を説明するためのフローチャート。
【図４】図１に示した移動無線端末装置の第１の実施形態に係わる動作により、表示部に為される表示の一例を示す図。
【図５】図１に示した移動無線端末装置の第２の実施形態に係わる動作を説明するためのフローチャート。
【図６】図１に示した移動無線端末装置の第２の実施形態に係わる動作を説明するためのフローチャート。
【図７Ａ】図１に示した移動無線端末装置の第２の実施形態に係わる動作により、表示部に為される表示の一例を示す図。
【図７Ｂ】図１に示した移動無線端末装置の第２の実施形態に係わる動作により、表示部に為される表示の一例を示す図。
【図７Ｃ】図１に示した移動無線端末装置の第２の実施形態に係わる動作により、表示部に為される表示の一例を示す図。
【図７Ｄ】図１に示した移動無線端末装置の第２の実施形態に係わる動作により、表示部に為される表示の一例を示す図。
【図７Ｅ】図１に示した移動無線端末装置の第２の実施形態に係わる動作により、表示部に為される表示の一例を示す図。
【図８】図１に示した移動無線端末装置の第２の実施形態に係わる動作の変形例を説明するためのフローチャート。
【図９】図１に示した移動無線端末装置の第３の実施形態に係わる動作を説明するためのフローチャート。
【図１０】図１に示した移動無線端末装置の第３の実施形態に係わる動作を説明するためのフローチャート。
【図１１】図１に示した移動無線端末装置の第３の実施形態に係わる動作を説明するためのフローチャート。
【図１２Ａ】図１に示した移動無線端末装置の第３の実施形態に係わる動作により、表示部に為される表示の一例を示す図。
【図１２Ｂ】図１に示した移動無線端末装置の第３の実施形態に係わる動作により、表示部に為される表示の一例を示す図。
【図１２Ｃ】図１に示した移動無線端末装置の第３の実施形態に係わる動作により、表示部に為される表示の一例を示す図。
【図１３】図１に示した移動無線端末装置の第３の実施形態に係わる動作の変形例を説明するためのフローチャート。
【図１４Ａ】図１に示した移動無線端末装置の第３の実施形態に係わる動作の変形例により、表示部に為される表示の一例を示す図。
【図１４Ｂ】図１に示した移動無線端末装置の第３の実施形態に係わる動作の変形例により、表示部に為される表示の一例を示す図。
【符号の説明】
【００９６】
１００…携帯電話機、１０１…アンテナ、１１０…通信部、１２０…音声処理部、１２１…スピーカ、１２２…マイクロホン、１３０…表示部、１４０…操作部、１５０…報知部、１６０…記憶部、１７０…カメラ部、１８０…制御部、ＢＳ…公衆基地局。
【図１】
2008010935.tif 000003
【図２】
2008010935.tif 000004
【図３】
2008010935.tif 000005
【図４】
2008010935.tif 000006
【図５】
2008010935.tif 000007
【図６】
2008010935.tif 000008
【図７Ａ】
2008010935.tif 000009
【図７Ｂ】
2008010935.tif 000010
【図７Ｃ】
2008010935.tif 000011
【図７Ｄ】
2008010935.tif 000012
【図７Ｅ】
2008010935.tif 000013
【図８】
2008010935.tif 000014
【図９】
2008010935.tif 000015
【図１０】
2008010935.tif 000016
【図１１】
2008010935.tif 000017
【図１２Ａ】
2008010935.tif 000018
【図１２Ｂ】
2008010935.tif 000019
【図１２Ｃ】
2008010935.tif 000020
【図１３】
2008010935.tif 000021
【図１４Ａ】
2008010935.tif 000022
【図１４Ｂ】
2008010935.tif 000023